(57)【要約】【課題】使用時の防犯性に優れ、廃棄時には、分別の手間を要することなく、資源ごみとして処理可能な折畳式コンテナを提供する。【解決手段】底盤１、基本部材２、一対の側壁部材３及び蓋４が無発泡で空洞のない無垢の硬質プラスチック製のシートから成るものとし、上部フレーム５もまたプラスチック製とする。このようなシートの各部材にヒンジとなる熱罫線を入れ、底盤１に基本部材２を固着し、基本部材２、側壁部材３及び蓋４を上部フレーム５に溶着により取り付ける。組立状態では、側壁部材３の係合片３３と底盤１に重なる底敷板２１の係合切欠２８とが係合し、錠受具５５の座部５５ａが蓋４の前フラップ４３により覆い隠されるようにする。折り畳むには、係合片３３を係合切欠２８から離脱させ、一対の側面板３１を跳ね上げ、前面板２２及び後面板２３を二つ折りにする。【選択図】図１
2019155066.tif 000002
【特許請求の範囲】
【請求項１】
底面板(11)を有する底盤(1)と、底敷板(21)を挟んで前面板(22)及び後面板(23)が連なる基本部材(2)と、側面板(31)を有する一対の側壁部材(3)と、天面板(41)を有する蓋(4)と、四角形枠の上部フレーム(5)とから構成される折畳式コンテナであって、
底盤(1)、基本部材(2)、一対の側壁部材(3)及び蓋(4)は、それぞれ無発泡で空洞のない無垢の硬質プラスチック製シートから成り、その材質はポリプロピレン、ポリエチレン、ポリエチレンテレフタレート、アクリル樹脂、ポリカーボネート、ポリ塩化ビニルのいずれかであり、上部フレーム(5)もまたプラスチック製であり、
基本部材(2)には、前面板(22)及び後面板(23)のそれぞれの下端及び上端並びに高さ方向中間部に熱罫線(25,26,27)が入れられ、側壁部材(3)には、上部及び下部に熱罫線(34,35)が入れられ、蓋(4)には、後部及び前部に熱罫線(45,46)が入れられ、
底面板(11)の上面に底敷板(21)が重ね合わされて固着され、基本部材(2)が前面板(22)及び後面板(23)の上方部分での溶着により上部フレーム(5)に取り付けられ、一対の側壁部材(3)が側面板(31)の上方部分での溶着により上部フレーム(5)に取り付けられ、蓋(4)が天面板(41)の後方部分での溶着により上部フレーム(5)に取り付けられ、
組立状態では、側面板(31)の下端に連なる係合片(33)が熱罫線(35)に沿って内側へ折り曲げられ、係合片(33)と底敷板(21)の両側端の係合切欠(28)とが係合し、天面板(41)が熱罫線(45)に沿って折り曲げられることにより蓋(4)が閉じられ、天面板(41)の前端に連なる前フラップ(43)が熱罫線(46)に沿って下方へ折り曲げられ、前フラップ(43)の錠受挿通穴(43a)から錠受具(55)の錠掛部(55b)が突出すると共に、錠受具(55)の座部(55a)が前フラップ(43)により覆い隠され、
折畳状態では、係合片(33)が係合切欠(28)から離脱して、一対の側面板(31)が上部の熱罫線(34)に沿って内側へ折り曲げられることにより跳ね上げられ、前面板(22)及び後面板(23)が下端及び上端の熱罫線(25,26)に沿って内側へ折り曲げられると共に、高さ方向中央部の熱罫線(27)に沿って二つ折りにされることを特徴とする折畳式コンテナ。
【請求項２】
前記底盤(1)の底面板(11)には、周囲各辺にそれぞれストッパ片(12)が連設され、底面板(11)からストッパ片(12)が熱曲げにより上方へ折り曲げられ、
前面板(22)及び後面板(23)並びに一対の側面板(31)の外側への揺動がストッパ片(12)により阻止されることを特徴とする請求項１に記載の折畳式コンテナ。
【請求項３】
前記蓋(4)の天面板(41)には、一対の側端辺にそれぞれガード片(44)が連設され、天面板(41)から一対のガード片(44)が熱曲げにより下方へ折り曲げられ、
蓋(4)を閉じたとき、ガード片(44)により天面板(41)と上部フレーム(5)の側枠部(53)の隙間が覆われることを特徴とする請求項１又は２に記載の折畳式コンテナ。
【発明の詳細な説明】
【技術分野】
【０００１】
この発明は、不在時に宅配物を受け取るための宅配ボックスや展示ケースとして使用可能な折畳式コンテナに関するものである。
【背景技術】
【０００２】
従来、簡易型の宅配ボックスとして、図１１に示すようなものが知られている。この宅配ボックスは、ＥＶＡ樹脂等の軟質のシートから成り、角桶状の本体部７１の上端後部に蓋７２が開閉自在に連設され、蓋７２を開けて本体７１に宅配物を収納した後、蓋７２を閉じ、本体部７１の上部と蓋７２の周囲のファスナ７３の一対のスライダ７４を突き合わせ、スライダ７４に錠６１のシャックル６１ａを挿通して、宅配物の盗難を防止するものとなっている。この宅配ボックスは、不使用時に折り畳んでおくこともできる。
【０００３】
また、折畳式コンテナである宅配ボックスとして、下記特許文献１には、図１２に示すようなものが記載されている。この宅配ボックスは、硬質の板材を主体とする底盤８１、前面板８２、後面板８３、一対の側壁８４及び蓋８５から構成されている。
【０００４】
そして、底盤８１と後面板８３、前面板８２と一対の側壁８４、後面板８３と一対の側壁８４及び後面板８３と蓋８５がそれぞれ蝶番８６を介して回動自在に連結され、一対の側壁８４の奥行方向の中央部で前側部と後側部とが縦向きの蝶番８６を介して屈伸自在に連結されることにより、不使用時には折り畳めるようになっている。
【０００５】
上記のような宅配ボックスを使用する際には、組立状態として、その内部に宅配物を収納した後、蓋８５を閉じ、前面板８２の上部の錠挿通穴８２ａと蓋８５の前部の錠挿通穴８５ａとに錠６１のシャックル６１ａを挿通して、宅配物の盗難を防止する。
【先行技術文献】
【特許文献】
【０００６】
【特許文献１】登録実用新案第３０１３６１３号公報
【発明の概要】
【発明が解決しようとする課題】
【０００７】
しかしながら、図１１に示すような簡易型の宅配ボックスでは、本体７１及び蓋７２が軟質のシートから成るので、カッターナイフで簡単に切り込むことができ、防犯性が極めて不十分のものとなるほか、上方からの落下物や荷重により潰れるように変形して、宅配物が破損する恐れがある。
【０００８】
また、図１２に示す宅配ボックスでは、壁面の主要部材をプラスチック製とした場合、宅配物を収納した状態で施錠しても、錠挿通穴８２ａ，８５ａの部分をハンマー等で壊すことにより、錠６１による施錠状態を解除して、蓋８５を開けることができるので、やはり防犯性が不十分なものとなる。
【０００９】
特に、軽量化のため材質を中空構造のプラスチック段ボール製とした場合、製造段階では、厚さ方向の途中まで切り込むハーフカットにより、折曲加工を容易に施すことができるものの、使用時に鋭利な刃物で切り込まれると、亀裂が生じやすく、その亀裂を拡大することにより、宅配物が盗まれる恐れがある。
【００１０】
また、蝶番８６として金属製のものを用いた場合、廃棄に際し、プラスチック製の主要部材との分別が困難なため、複合材料の粗大ごみとして処理せざるを得ず、資源の再利用が図れないという問題がある。
【００１１】
そこで、この発明は、使用時の防犯性に優れ、廃棄時には、分別の手間を要することなく、資源ごみとして処理可能な折畳式コンテナを提供することを課題とする。
【課題を解決するための手段】
【００１２】
上記のような課題を解決するため、この発明に係る折畳式コンテナは、底面板を有する底盤と、底敷板を挟んで前面板及び後面板が連なる基本部材と、側面板を有する一対の側壁部材と、天面板を有する蓋と、四角形枠の上部フレームとから構成され、
底盤、基本部材、一対の側壁部材及び蓋は、それぞれ無発泡で空洞のない無垢の硬質プラスチック製シートから成り、その材質はポリプロピレン、ポリエチレン、ポリエチレンテレフタレート、アクリル樹脂、ポリカーボネート、ポリ塩化ビニルのいずれかであり、上部フレームもまたプラスチック製であり、
基本部材には、前面板及び後面板のそれぞれの下端及び上端並びに高さ方向中間部に熱罫線が入れられ、側壁部材には、上部及び下部に熱罫線が入れられ、蓋には、後部及び前部に熱罫線が入れられ、
底面板の上面に底敷板が重ね合わされて固着され、基本部材が前面板及び後面板の上方部分での溶着により上部フレームに取り付けられ、一対の側壁部材が側面板の上方部分での溶着により上部フレームに取り付けられ、蓋が天面板の後方部分での溶着により上部フレームに取り付けられ、
組立状態では、側面板の下端に連なる係合片が熱罫線に沿って内側へ折り曲げられ、係合片と底敷板の両側端の係合切欠とが係合し、天面板が熱罫線に沿って折り曲げられることにより蓋が閉じられ、天面板の前端に連なる前フラップが熱罫線に沿って下方へ折り曲げられ、前フラップの錠受挿通穴から錠受具の錠掛部が突出すると共に、錠受具の座部が前フラップにより覆い隠され、
折畳状態では、係合片が係合切欠から離脱して、一対の側面板が上部の熱罫線に沿って内側へ折り曲げられることにより跳ね上げられ、前面板及び後面板が下端及び上端の熱罫線に沿って内側へ折り曲げられると共に、高さ方向中央部の熱罫線に沿って二つ折りにされるものとしたのである。
【００１３】
また、前記底盤の底面板には、周囲各辺にそれぞれストッパ片が連設され、底面板からストッパ片が熱曲げにより上方へ折り曲げられ、
前面板及び後面板並びに一対の側面板の外側への揺動がストッパ片により阻止されるものとしたのである。
【００１４】
また、前記蓋の天面板には、一対の側端辺にそれぞれガード片が連設され、天面板から一対のガード片が熱曲げにより下方へ折り曲げられ、
蓋を閉じたとき、ガード片により天面板と上部フレームの側枠部の隙間が覆われるものとしたのである。
【発明の効果】
【００１５】
この発明に係る折畳式コンテナでは、組立状態で上部フレームから垂下した側面板の下端の係合片が底敷板の係合切欠に係合しているので、側面板が外側から押されても内側へ揺動せず、側面を開口させることができない。そして、上部フレームに取り付けた錠受具の座部が前フラップにより覆い隠されているので、施錠した状態では、錠受具を取り外すことができず、蓋を開くことができない。
【００１６】
また、壁面をなす主要部材である底盤、基本部材、一対の側壁部材及び蓋がポリプロピレン、ポリエチレン、ポリエチレンテレフタレート、アクリル樹脂、ポリカーボネート、ポリ塩化ビニルのいずれかを材質とする無垢のシートとされているので、これらを３ｍｍ〜１０ｍｍ程度の厚みとしておけば、鋭利な刃物で切り込まれても、多少の傷はつくが、亀裂は発生しない。
【００１７】
したがって、不使用時には嵩張らないように折り畳んでおける構造にもかかわらず、使用時に組み立てて施錠した状態において、高い防犯性が確保され、収納された宅配物の盗難が防止される。また、材質がポリエチレンテレフタレートやポリカーボネートである場合には、透明性を活かして、防犯性に優れた展示ケースとすることもできる。
【００１８】
また、製造時に加工する際、プラスチック段ボールのように、ハーフカットとして折り曲げられるようにすることはできないが、別途蝶番等を用いることなく、ヒートバーを押し当てる熱罫線又は熱曲げとし、さらに、構成部材同士の接合を、別途金属製のリベット等を用いることなく、熱溶融による溶着としたので、廃棄する際には、錠受具を外すだけで、プラスチックのみから成る資源ごみとして容易に処理することができる。
【図面の簡単な説明】
【００１９】
【図１】この発明の実施形態に係る折畳式コンテナの組立施錠状態を示す斜視図
【図２】同上の組立／折畳過程を示す斜視図
【図３】同上の組立／折畳過程を示す斜視図
【図４】同上の折畳状態を示す斜視図
【図５】図１のＶ−Ｖ線に沿った縦断正面図
【図６】図１のVI−VI線に沿った縦断側面図
【図７】同上の底盤の展開状態を示す図
【図８】同上の基本部材の展開状態を示す図
【図９】同上の側壁部材の展開状態を示す図
【図１０】同上の蓋の展開状態を示す図
【図１１】従来の簡易型の宅配ボックスの組立施錠状態を示す斜視図
【図１２】特許文献１に記載された宅配ボックスの（１２Ａ）組立施錠状態を示す斜視図、（１２Ｂ）同上の組立／折畳過程を示す斜視図
【発明を実施するための形態】
【００２０】
以下、この発明の実施形態を添付図面に基づいて説明する。
【００２１】
この折畳式コンテナは、図１に示すように、組立施錠状態で直方体となり、底面を形成する底盤１、底部で繋がり前面及び後面を形成する基本部材２、両側面を形成する一対の側壁部材３、天面を形成する蓋４及び四角形枠の上部フレーム５から構成される。
【００２２】
底盤１、基本部材２、一対の側壁部材３及び蓋４は、無発泡で空洞のない厚さ３ｍｍ〜１０ｍｍ程度の無垢の硬質プラスチック製のシートから成り、その材質は、ポリプロピレン、ポリエチレン、ポリエチレンテレフタレート、アクリル樹脂、ポリカーボネート、ポリ塩化ビニル（例えば、積水成型工業社製のタフビロン：登録商標）のいずれかとされている。
【００２３】
なお、宅配ボックスとして使用するものでは、収納された宅配物が外部から見えないように、不透明で着色されたシートを使用し、展示ケースとして使用する場合には、収納された展示物が外部からよく見えるように、透明性の高いポリエチレンテレフタレートやポリカーボネートのシートを使用する。
【００２４】
展開状態で図７に示すように、底盤１は、底面板１１の周囲の各端辺にストッパ片１２が連設された構成となっており、製造時には、底面板１１からストッパ片１２が上方へ折り曲げられる。この折り曲げは、ヒートバーで押圧して加熱に伴い軟化した状態で折り曲げ、徐冷に伴い塑性変形させる熱曲げとされている。
【００２５】
また、展開状態で図８に示すように、基本部材２は、底敷板２１を挟んで前面板２２及び後面板２３が連なり、前面板２２及び後面板２３の底敷板２１とは反対側の端辺に、それぞれ接合片２４が連設された構成となっている。
【００２６】
底敷板２１と前面板２２の境界、底敷板２１と後面板２３の境界、前面板２２と接合片２４の境界及び後面板２３と接合片２４の境界には、それぞれＶ字溝状に窪んだヒンジとなる熱罫線２５，２６が入れられ、前面板２２及び後面板２３の高さ方向中央部にも、Ｖ字溝状に窪んだヒンジとなる横向きの熱罫線２７が入れられている。
【００２７】
熱罫線２５，２６は、シートの表面側が窪んだものとされ、熱罫線２７は、シートの裏面側が窪んだものとされている。熱罫線２７の位置には、熱罫線２７に沿った屈伸の繰り返しによりシートが破断しないようにするため、シートの裏面側にＶ字溝状の窪みに沿ってフィラメントテープ２７ａが貼り付けられている。
【００２８】
底敷板２１の両側端には、凹入した係合切欠２８が形成され、係合切欠２８の奥側の端縁中央部には、指入凹所２８ａが設けられている。
【００２９】
なお、組み立てに際しては、基本部材２と共に、上部フレームとの接合部を補強するため、接合片２４とほぼ同一幅で高さが大きい形状の一対の補強部材２９が使用される。
【００３０】
また、展開状態で図９に示すように、側壁部材３は、側面板３１の上端辺に接合片３２が、下端辺に係合片３３がそれぞれ連設された構成となっており、側面板３１に把手穴３１ａが形成されている。側面板３１と接合片３２の境界及び側面板３１と係合片３３の境界には、それぞれＶ字溝状に窪んだヒンジとなる熱罫線３４，３５が入れられている。
【００３１】
熱罫線３４，３５は、シートの表面側が窪んだものとされ、熱罫線３５の位置には、熱罫線３５に沿った屈伸の繰り返しによりシートが破断しないようにするため、シートの裏面側にＶ字溝状の窪みに沿ってフィラメントテープ３５ａが貼り付けられている。
【００３２】
また、展開状態で図１０に示すように、蓋４は、天面板４１の後端辺に接合片４２が、前端辺に前フラップ４３が、一対の側端辺にガード片４４がそれぞれ連設された構成となっており、製造時には、天面板４１から一対のガード片４４が熱曲げにより下方へ折り曲げられる。前フラップ４３の中央部には、スロット状の錠受挿通穴４３ａが穿設されている。
【００３３】
天面板４１と接合片４２の境界及び天面板４１と前フラップ４３の境界には、それぞれＶ字溝状に窪んだヒンジとなる熱罫線４５，４６が入れられ、熱罫線４５，４６は、シートの裏面側が窪んだものとされている。
【００３４】
熱罫線４５，４６の位置には、熱罫線４５，４６に沿った屈伸の繰り返しによりシートが破断しないようにするため、シートの裏面側にＶ字溝状の窪みに沿ってフィラメントテープ４５ａ，４６ａが貼り付けられている。
【００３５】
また、図２及び図３に示すように、上部フレーム５は、前枠部５１、後枠部５２及び一対の側枠部５３から構成され、荷崩防止片５４が四隅のコーナー部から上方へ突出している。上部フレーム５の材質は、強度に優れ、段積み時等に破損しにくい性質を有するものとして、例えば、靭性の大きいポリエチレンとされている。
【００３６】
ところで、基本部材２の熱罫線２５，２６，２７、側壁部材３の熱罫線３４，３５及び蓋４の熱罫線４５，４６を入れる際には、Ｖ字状のヒートバーを押し当てて熱変形させるが、その材料は無垢のシートなので、相当量のノロが発生し、ノロを専用の治具でカットしなければならない。特に、表面側では、シートに傷が付かず、カット面が平滑となるようにしなければならないので、手作業でこの作業を行うには、高度な熟練を要する。
【００３７】
なお、フィラメントテープ２７ａ，３５ａ，４５ａ，４６ａは、必須ではないが、貼り付けておくと、耐久性が向上する。
【００３８】
上記のような部材を用いて折畳式コンテナを製造する際には、底面板１１の上面に底敷板２１を重ね合わせて、底盤１に基本部材２を溶着又は接着剤により固着する。
【００３９】
また、前面板２２及び後面板２３に連なる接合片２４を、それぞれ前枠部５１及び後枠部５２に補強部材２９を挟んで溶着部Ｗで溶着することにより、基本部材２を上部フレーム５に取り付け、一対の側面板３１に連なる接合片３２をそれぞれ一対の側枠部５３に溶着部Ｗで溶着することにより、側壁部材３を上部フレーム５に取り付ける。そして、天面板４１に連なる接合片４２を後枠部５２に溶着部Ｗで溶着することにより、蓋４を上部フレーム５に取り付ける。
【００４０】
上記溶着部Ｗでの溶着手段としては、高温体の押し当てによる熱溶着、超音波振動を与えて摩擦熱により昇温させる超音波溶着、高周波電界を与えて発熱させる高周波溶着等を採用することができる。
【００４１】
なお、上記工程に先立って、側面板３１の両側辺部には、溝形材である保護部材３６を嵌め、溶着部Ｗでの溶着により固定しておく。また、側面板３１の把手穴３１ａには、プラスチック製の把手ハンドル３７を装着しておく。
【００４２】
また、前枠部５１に金属製の錠受具５５を取り付ける。錠受具５５は、座部５５ａとＵ字状の錠掛部５５ｂとから成るものであり、座部５５ａをねじ止め等により前枠部５１に固定する。さらに、補強部材２９の表面と前フラップ４３の裏面には、錠受挿通穴４３ａの両側方に位置するように面ファスナ６０を取り付ける。
【００４３】
このように製造した折畳式コンテナを使用時に組み立てるには、図１、図５及び図６に示すように、底敷板２１から前面板２２及び後面板２３を熱罫線２５に沿って上方へ折り曲げることにより直立させ、一対の側枠部５３からそれぞれ側面板３１が垂下した状態としておく。また、側面板３１から熱罫線３５に沿って係合片３３を内側へ折り曲げ、係合片３３と底敷板２１の係合切欠２８とを係合させる。
【００４４】
この状態において、前面板２２及び後面板２３の内側への屈曲は、側面板３１の両側端との当接により阻止され、前面板２２及び後面板２３の外側への揺動は、底盤１のストッパ片１２により阻止される。また、側面板３１の内側への揺動は、係合片３３と底敷板２１の係合切欠２８との係合により阻止され、側面板３１の外側への揺動は、底盤１のストッパ片１２により阻止される。
【００４５】
そして、宅配物や展示物を収納した後、天面板４１を接合片４２との境界の熱罫線４５に沿って前方へ折り曲げることにより蓋４を閉じ、前フラップ４３を天面板４１から熱罫線４６に沿って下方へ折り曲げ、前フラップ４３を補強部材２９に面ファスナ６０で固定し、錠受挿通穴４３ａから錠受具５５の錠掛部５５ｂを突出させる。
【００４６】
その後、錠受具５５の錠掛部５５ｂに南京錠等の錠６１のシャックル６１ａを挿通して施錠し、宅配物や展示物の盗難を防止する。
【００４７】
このような組立施錠状態では、側面板３１が外側から押されても内側へ揺動せず、側面を開口させることができない。また、ガード片４４により天面板４１と側枠部５３の隙間が覆われる。そして、錠受具５５の座部５５ａが前フラップ４３により覆い隠されているので、錠受具５５を取り外すことができず、蓋４を開くことができない。
【００４８】
また、壁面をなす主要部材である底盤１、基本部材２、一対の側壁部材３及び蓋４が無発泡で空洞のないポリプロピレン、ポリエチレン、ポリエチレンテレフタレート、アクリル樹脂、ポリカーボネート、ポリ塩化ビニル（例えば、積水成型工業社製のタフビロン：登録商標）のいずれかを材質とする無垢のシートとされ、その厚みが３ｍｍ〜１０ｍｍ程度とされているので、鋭利な刃物で切り込まれても、多少の傷はつくが、亀裂は発生せず、高い防犯性が確保される。具体的なシートの厚みは、防犯性と重量との兼ね合いを考慮して、５ｍｍ程度としておくのがよい。
【００４９】
なお、この折畳式コンテナを屋外に置く場合には、折畳式コンテナ自体の盗難を防止するため、ワイヤー錠やチェーン錠を用いて、折畳式コンテナをドアノブや手摺、面格子等の構造物に連結固定できるようにしておくとよい。
【００５０】
一方、この折畳式コンテナを不使用時に折り畳んでおく際には、図２に示すように、蓋４を開けた状態で、指入凹所２８ａに指を入れて係合片３３の端縁に指を掛け、係合片３３の先端部を引き上げつつ、側面板３１を表面側から内側へ押して、係合片３３を係合切欠２８から離脱させ、一対の側面板３１を接合片３２との境界の熱罫線３４に沿って内側へ折り曲げることにより跳ね上げる。
【００５１】
次に、図３に示すように、前面板２２及び後面板２３を、底敷板２１との境界の熱罫線２５及び接合片２４との境界の熱罫線２６に沿って内側へ折り曲げ、高さ方向中央部の熱罫線２７に沿って内側へ屈曲させる。
【００５２】
そして、図４に示すように、前面板２２及び後面板２３を二つ折りにして底敷板２１に重ね、前面板２２及び後面板２３に側面板３１を重ねて、これらを底盤１と蓋４との間に挟むと、高さが組立状態の１／３程度となり、屋内での保管時に嵩張ることがない。
【００５３】
このとき、前フラップ４３の錠受挿通穴４３ａから錠受具５５の錠掛部５５ｂを突出させ、錠掛部５５ｂに錠６１のシャックル６１ａを掛けておくと、錠６１の紛失を防止することができる。
【００５４】
上記のような折畳式コンテナは、耐久性に優れるため、長期間使用できるが、不要になった場合には、錠受具５５を取り外すだけで、プラスチックのみから成る資源ごみとして容易に処理することができるので、蝶番や金属製のリベットを取り外して分別する等の多大な手間を要することがなく、環境に悪影響を及ぼすことがない。
【符号の説明】
【００５５】
１  底盤
２  基本部材
３  側壁部材
４  蓋
５  上部フレーム
１１  底面板
１２  ストッパ片
２１  底敷板
２２  前面板
２３  後面板
２４  接合片
２５，２６，２７  熱罫線
２７ａ  フィラメントテープ
２８  係合切欠
２８ａ  指入凹所
２９  補強部材
３１  側面板
３１ａ  把手穴
３２  接合片
３３  係合片
３４，３５  熱罫線
３５ａ  フィラメントテープ
３６  保護部材
３７  把手ハンドル
４１  天面板
４２  接合片
４３  前フラップ
４３ａ  錠受挿通穴
４４  ガード片
４５，４６  熱罫線
４５ａ，４６ａ  フィラメントテープ
５１  前枠部
５２  後枠部
５３  側枠部
５４  荷崩防止片
５５  錠受具
５５ａ  座部
５５ｂ  錠掛部
６０  面ファスナ
６１  錠
６１ａ  シャックル
Ｗ  溶着部
【図１】
2019155066.tif 000003
【図２】
2019155066.tif 000004
【図３】
2019155066.tif 000005
【図４】
2019155066.tif 000006
【図５】
2019155066.tif 000007
【図６】
2019155066.tif 000008
【図７】
2019155066.tif 000009
【図８】
2019155066.tif 000010
【図９】
2019155066.tif 000011
【図１０】
2019155066.tif 000012
【図１１】
2019155066.tif 000013
【図１２】
2019155066.tif 000014